(57)【要約】【課題】衣類に損傷を与えることなく衣類に縫着されたラベルを極めて容易に取り外すことができるラベルの取付け構造、ラベルの取外し方法及びラベルを提供する。【解決手段】衣類１０の所定位置に配置され複数の切込み５が各切込み５の幅方向に配列された紙製のラベル１に対して、切込み５の配列方向に沿って運針し、切込み５を縦断するように本縫いで縫着することにより、ラベル１の一部が当該衣類１０の一部と接合され、ラベル１を縫着線に沿って折り曲げて、その折線に沿ってラベル１の各切込み５間を破断し、ラベル１を縫着部から除去した後に上糸または下糸を引き抜くことでラベル１を取り外す。【選択図】図１
2014142371.tif 000002
【特許請求の範囲】
【請求項１】
衣類の所定位置に配置され複数の切込みが各切込みの幅方向に配列された紙製のラベルに対して、前記切込みの配列方向に沿って運針し、前記切込みを縦断するように本縫いで縫着することにより、当該ラベルの一部が当該衣類の一部と接合されるラベルの取付け構造。
【請求項２】
前記運針ピッチが３ｃｍで１２針から１５針に設定され、前記切込みのピッチが前記運針ピッチの０．８倍より大きく１．５倍以下の値に設定されている請求項１記載のラベルの取付け構造。
【請求項３】
運針ピッチが前記切込みのピッチより長い値に設定されている請求項１または２記載のラベルの取付け構造。
【請求項４】
前記ラベルの紙厚が０．１５ｍｍから０．５ｍｍの範囲に設定されている請求項１から３の何れかに記載のラベルの取付け構造。
【請求項５】
前記切込みが前記ラベルの紙の目の方向と交差する方向に形成されている請求項１から４の何れかに記載のラベルの取付け構造。
【請求項６】
前記切込みの始点が前記ラベルの端縁より２ｍｍから１０ｍｍの位置に設定され、各切込みの長さが３ｍｍから７ｍｍの範囲に設定されている請求項１から５の何れかに記載のラベルの取付け構造。
【請求項７】
請求項１から６の何れかに記載のラベルの取付け構造を用いて衣類に取り付けられたラベルを縫着線に沿って折り曲げて、その折線に沿って前記ラベルの各切込み間を破断し、前記ラベルを縫着部から除去した後に上糸または下糸を引き抜くラベルの取外し方法。
【請求項８】
請求項１から６の何れかに記載のラベルの取付け構造に用いられるラベルであって、複数の切込みが各切込みの幅方向に配列され、前記切込みを縦断するように本縫いで縫着されるラベル。
【発明の詳細な説明】
【技術分野】
【０００１】
本発明は、ラベルの取付け構造、ラベルの取外し方法及びラベルに関し、例えばアンダーシャツやショーツ等のアンダーウェアを含む各種の衣類の所定部位に付される紙ラベル等のラベルの取付け構造等に関する。
【背景技術】
【０００２】
インナーウェアを含む各種の衣類には、製造元、連絡先、サイズ、素材、製品名、価格等が表示された商品表示用のラベルがその表面側に縫着されている。このような衣類の購入者は、着用前に衣類から当該ラベルを取り外す必要がある。その際、ハサミ等の工具を用いて縫い糸を切断してラベルを取り外し、或いはラベル自体を縫目に沿って切断してラベルを除去するような作業が要求される。場合によっては、縫目に沿って力ずくでラベルを破断する場合もある。
【０００３】
このようなラベルの取外し作業中に誤って当該衣類に解れや裂け等の損傷を与える虞があるため、衣類に縫い糸が残存したり損傷を与えたりすることなくラベルを容易に取り外すことができるラベル取付け構造が提案されている。
【０００４】
特許文献１には、ラベルの表面側に露出する上糸と、該ラベルが取り付けられる衣類の裏面側に露出する下糸とからなる縫糸を用いて本縫いで縫着され、縫い始め位置と縫い終わり位置がラベルの左右両端より所定寸法離れた位置とされ、縫い終わり位置に連続する後方位置または縫い始め位置へと連続する前方位置に０．３ｃｍ以上２．０ｃｍ以下の長さで、上糸または下糸からなる縫着されていない抜取用糸を延在させ、該抜取用糸を引っ張って抜き取ることでラベルが衣類より取り外される構成が開示されている。
【０００５】
特許文献２には、衣料品の表面に下げ札を取り付ける際に、水溶性繊維糸を用いて下げ札を衣料品に縫着する構成が開示されている。
【先行技術文献】
【特許文献】
【０００６】
【特許文献１】特開２００７−１５５９２２号公報
【特許文献２】特開２０１１−２３７５００号公報
【発明の概要】
【発明が解決しようとする課題】
【０００７】
しかし、特許文献１に開示された構成を採用しても、抜取用糸を引っ張って抜き取る際に当該抜取用糸が破断する場合があり、そのような事態が発生すると、最早従前と同様、ハサミ等の工具を用いてラベルを取り外すか、縫目に沿って力ずくでラベルを破断する以外に方法はなく、衣類に損傷を与える虞が完全に払拭される構成ではなかった。
【０００８】
また、特許文献２に開示された構成を採用する場合でも、水溶性繊維糸を溶解させるための最初の洗濯等の前の着用段階でラベルを除去する必要があり、同様の問題が内在している。仮に紙製のラベルが縫着された状態で衣類を洗濯すると、洗濯槽内でラベルが水に溶解して紙の繊維くずが衣類に付着し、その後に繊維くずを衣類から除去する非常に煩雑な作業が必要になる。
【０００９】
本発明の目的は、上述した問題点に鑑み、衣類に損傷を与えることなく衣類に縫着されたラベルを極めて容易に取り外すことができるラベルの取付け構造、ラベルの取外し方法及びラベルを提供する点にある。
【課題を解決するための手段】
【００１０】
上述の目的を達成するため、本発明によるラベルの取付け構造の第一の特徴構成は、特許請求の範囲の書類の請求項１に記載した通り、衣類の所定位置に配置され複数の切込みが各切込みの幅方向に配列された紙製のラベルに対して、前記切込みの配列方向に沿って運針し、前記切込みを縦断するように本縫いで縫着することにより、当該ラベルの一部が当該衣類の一部と接合される点にある。
【００１１】
切込みの幅方向に配列されるように複数の切込みが形成された紙製のラベルが、衣類の所定位置でその切込みの配列方向に沿って切込みを縦断するように本縫いされる。そのような紙製のラベルを縫目に沿って折り曲げると、縫着線に沿った直線状の折線がラベルに形成される。その折線に沿ってラベルの端部からラベルを破断する場合に、切込みが形成されていないと紙の繊維の絡みが影響して縫着線に沿って直線状に破断するのが極めて困難になるが、切込みが形成されていれば、先ずその折線に沿ってラベルの端部から最初の切込みまで破断し、さらにその最初の切込みから第二の切り込みまで破断するという破断処理を、最後の切込みを経てラベルの他端まで繰り返すことにより、折線つまり縫着線に沿った直線状の破断線でラベルの一片を容易く破断して除去することができる。本発明によれば、そのようにして縫着線を境に残ったラベルの他片を、縫着線と交差する方向に引くと、隣接する切込みの間に縫目が無い領域では抵抗無く引き抜くことができ、隣接する切込みの間に縫目がある領域では紙の繊維と糸との絡みが解れるようにある程度注意深く引くことにより、糸が破断したり衣類に解れが生じることなくラベルを除去することができる。
【００１２】
同第二の特徴構成は、同請求項２に記載した通り、上述の第一特徴構成に加えて、前記運針ピッチが３ｃｍで１２針から１５針に設定され、前記切込みのピッチが前記運針ピッチの０．８倍より大きく１．５倍以下の値に設定されている点にある。
【００１３】
運針ピッチを３ｃｍで１２針から１５針にすれば、縫目のピッチが２ｍｍから２．５ｍｍになり、それに対応して切込みのピッチが１．６ｍｍから３．７５ｍｍになる。ラベルを破断処理する際に、切込みのピッチが１．６ｍｍから３．７５ｍｍ程度であれば、たとえ厚紙のラベルであっても、破断処理にそれほど大きな力を要することなく折線に沿って正確に破断することができる。
【００１４】
同第三の特徴構成は、同請求項３に記載した通り、上述の第一または第二特徴構成に加えて、運針ピッチが前記切込みのピッチより長い値に設定されている点にある。
【００１５】
運針ピッチが切込みのピッチより短く、隣接する切込みの間に縫目が複数存在する場合には、切込みから縫目までを慎重に破断処理し、さらにその縫目から次の縫目までも慎重に破断処理する必要があるので、破断処理に要する多大な注意力が要求される。それに対して、運針ピッチを切込みのピッチより長い値に設定すれば、隣接する切込みの間に縫い針で穿孔されてできる縫目は最大で一つとなり、隣接する切込みの間に縫目が存在しない領域もできる。従って、ラベルを破断する際に切込みから縫目までを慎重に破断処理すれば、そこから後の隣接する切込みまではラフに破断しても、縫目にラベルの切り端が残るようなことが無いので、破断後の紙片の除去処理が容易になる。隣接する切込みの間に縫目が存在しない領域では、単に隣接する切込みの間をラフに破断すればよい。つまり、ラベルを破断処理するときの注意力を軽減することができる。
【００１６】
同第四の特徴構成は、同請求項４に記載した通り、上述の第一から第三の何れかの特徴構成に加えて、前記ラベルの紙厚が０．１５ｍｍから０．５ｍｍの範囲に設定されている点にある。
【００１７】
ラベルの紙厚が薄ければ、衣類に縫着した後に湿気等の影響を受けてカールすることがあり、見栄えがよくない。ラベルの紙厚が厚ければ、上述の破断処理に力を要し、また折線に沿って正確に破断することが困難になる。ラベルがカールすることなく、また、容易く破断処理できるように、ラベルの紙厚は０．１５ｍｍから０．５ｍｍの範囲が好ましい。
【００１８】
同第五の特徴構成は、同請求項５に記載した通り、上述の第一から第三の何れかの特徴構成に加えて、前記切込みが前記ラベルの紙の目の方向と交差する方向に形成されている点にある。
【００１９】
目の方向に沿って紙を構成する繊維が並んでいるため、紙の目の方向へは直線状に破断処理し易い。そこで、切込みをラベルの紙の目の方向と交差する方向に形成すれば、折線と紙の目の方向が比較的揃うようになるので、隣接する切込みの間で紙を破断する際に折線に沿って容易く破断処理できるようになる。
【００２０】
同第六の特徴構成は、同請求項６に記載した通り、上述の第一から第五の何れかの特徴構成に加えて、前記切込みの始点が前記ラベルの端縁より２ｍｍから１０ｍｍの位置に設定され、各切込みの長さが３ｍｍから７ｍｍの範囲に設定されている点にある。
【００２１】
ラベルを衣類に縫着する際に、ミシンを使用してラベルの切込みを縦断するように本縫いするためには、ある程度の切込みの長さが必要となる。切込みの長さが短ければ、切込みから外れた位置を縫う虞があるためである。切込みの長さが３ｍｍから７ｍｍの範囲に設定されていれば、それほど注意深くミシンを操作しなくても、確実にラベルの切込みを縦断するように本縫いすることができるようになる。また、ラベルを取り外す際には、紙製のラベルを縫目に沿って折り曲げて、縫着線に沿った直線状の折線をラベルに形成する必要がある。その際、縫着部に近い方のラベルの端縁を一方の手の指で掴み、他方の手の指でラベルを折り返す操作を行なう。このとき、ラベルの端縁に近い位置に縫目が形成されていると、ラベルの端縁を一方の手の指で掴むことが困難になり、容易に直線状の折線をつけることができないが、切込みの始点が前記ラベルの端縁より２ｍｍから１０ｍｍの位置に設定されていれば、確実にラベルの端縁を一方の手の指で掴むことができ、正確な折線を形成することができるようになる。
【００２２】
本発明によるラベルの取外し方法の特徴構成は、同請求項７に記載した通り、上述の第一から第六の何れかの特徴構成を備えたラベルの取付け構造を用いて衣類に取り付けられたラベルを縫着線に沿って折り曲げて、その折線に沿って前記ラベルの各切込み間を破断し、前記ラベルを縫着部から除去した後に上糸または下糸を引き抜く点にある。
【００２３】
ラベルを縫目に沿って折り曲げて、縫着線に沿った直線状の折線をラベルに形成し、その折線に沿ってラベルの端部から最初の切込みまで破断し、さらにその最初の切込みから第二の切り込みまで破断するという破断処理を繰り返すことにより、折線つまり縫着線に沿った直線状の破断線でラベルの一片を破断して除去し、縫着線を境に残ったラベルの他片を、縫着線と交差する方向に引き抜いて除去する。ラベルを除去することにより、本縫いされた縫い糸の上糸が衣類の表面から浮き、下糸との張力が緩んだ状態となっているため、その浮いた上糸の一端側を他端側に引けば、縫い糸を容易に除去することができる。
【００２４】
本発明によるラベルの特徴構成は、同請求項８に記載した通り、上述の第一から第六の何れかの特徴構成を備えたラベルの取付け構造に用いられるラベルであって、複数の切込みが各切込みの幅方向に配列され、前記切込みを縦断するように本縫いで縫着される点にある。
【００２５】
衣類に損傷を与えることなく、ハサミ等の工具を用いずに手作業で簡単に取り外すことができるラベルを提供できるようになる。
【発明の効果】
【００２６】
以上説明した通り、本発明によれば、衣類に損傷を与えることなく衣類に縫着されたラベルを極めて容易に取り外すことができるラベルの取付け構造、ラベルの取外し方法及びラベルを提供することができるようになった。
【図面の簡単な説明】
【００２７】
【図１】（ａ）は本発明によるラベルの取付け構造で下着に取り付けられたラベルの説明図、（ｂ）は同ラベルの要部説明図
【図２】（ａ）は衣類にラベルが縫着された部位の要部断面図、（ｂ）は衣類からラベルが破断され、衣類から除去された状態の要部断面図、（ｃ）はラベルが除去された後の縫糸の状態の説明図
【図３】（ａ）から（ｄ）はラベルの取外し方法の説明図
【図４】（ａ）から（ｄ）はラベルに形成される切込み位置とラベルの目の方向の説明図
【図５】（ａ）から（ｃ）はラベルに形成される切込みとラベルの目の方向との交差状態の説明図
【図６】（ａ）から（ｃ）は別実施形態を示し、ラベルに形成される切込みの形状の説明図
【発明を実施するための形態】
【００２８】
以下、本発明によるラベルの取付け構造、ラベルの取外し方法及びラベルを説明する。
図１（ａ）には、衣類の一例であるボクサーパンツ１０及びボクサーパンツ１０に付された商品表示用の紙製のラベル１が示されている。ラベル１は、その上縁領域の縫着部４でボクサーパンツ１０の表面側ウエストゴム部１１に本縫いミシンで本縫いされている。ラベル１の縫着位置は衣類の表面側であればウエストゴム部１１に限らず、例えば身頃の身生地等、予め定められた所定位置に縫着されていればよい。縫糸６として上糸、下糸ともに綿糸が好適に用いられるが、縫糸６は綿糸に限るものではなく、ポリエステル繊維等の合成繊維を用いてもよい。
【００２９】
図１（ｂ）に示すように、当該ラベル１には製造元、連絡先、サイズ、素材、商品名、商品コード（バーコード）、価格等の商品情報が印刷表示された表品情報表示部２が設けられている。
【００３０】
ラベル１の縫着部４には、ラベルの横幅方向に沿って狭幅のスリット状の複数の切込み５が各切込み５の幅方向に配列されている。当該切込み５は単にラベルに刃物で切り込みを入れるだけの形態であってもよく、スリット状に狭幅の開口を形成するように切り込まれるものであってもよい。
【００３１】
本縫いミシンを用いて、ラベル１の幅方向の一方の端部近傍から、複数の切込み５の略中央部を切込み５の配列方向に沿って運針し、他方の端部まで切込み５を縦断するように縫糸６で本縫いされることによって、当該ラベル１の一部が当該衣類１０の一部と接合される。
【００３２】
さらに、各切込み５の長手方向中心を結ぶ線分の延長線とラベル１の端部との交点領域に端部から内側に先窄まり形状の切り欠き部３が形成されていればより好ましい。後述するように、ラベル１を縫糸６による縫着線に沿って折り曲げて破断する際に、当該切り欠き部３が破断操作の始点となって容易に破断することが可能となるからであり、また、本縫いミシンを用いた縫着処理の際に、切り欠き部３が縫着位置の目印となって、より正確に複数の切込み５の略中央部に縫着することができるからである。
【００３３】
切り欠き部３はラベル１の両端部に形成されていることが好ましいが、何れか一方の端部に形成されていてもよい。また、切り欠き部３は各切込み５の長手方向中心を結ぶ線分の延長線とラベル１の端部との交点領域に形成されていることが好ましいが、縫着処理の際の目印となれば、各切込み５の長手方向中心から多少離隔した位置を結ぶ線分の延長線とラベル１の端部との交点領域に形成されていてもよい。尚、切り欠き部の形成は必須ではなく、図１（ａ）のように切り欠き部が形成されていない態様であってもよい。
【００３４】
図２（ａ）には、衣類１０の生地とラベル１が上糸６ａと下糸６ｂで本縫いされた要部の断面が示されている。図中、ΔＳは切込みのピッチを示し、Δｄは運針ピッチを示し、運針ピッチΔｄは切込み５のピッチΔＳより長い値に設定されている（ΔＳ＜Δｄ）。尚、図２（ａ）には、上糸６ａと下糸６ｂが交絡する領域（穿針位置）での糸の交絡状態を明示するために、衣類１０の生地とラベル１が分断されているように描いているが、実際には連続している。
【００３５】
このように衣類１０に縫着されたラベル１は、縫着線に沿って折り曲げることにより、その折線に沿ってラベル１の各切込み５間を破断し、ラベル１を縫着部４から除去した後に上糸６ａまたは下糸６ｂを引き抜くことにより除去される。
【００３６】
図３（ａ）にはラベル１が、切込み５を縦断するように縫糸６で縫着された状態が示されている。縫糸６に沿う線が縫着線となる。図３（ｂ）に示すように、この状態で、ラベル１の上縁側の片１ａを一方の手で掴み、他方の手で縫着線に沿って折り曲げると、縫着線に沿った直線状の折線がラベル１に形成される。
【００３７】
図３（ｃ）に示すように、先ずその折線に沿ってラベル１の一端部から最初の切込み５まで破断し、さらにその最初の切込み５から第二の切り込み５まで破断するという破断処理を、最後の切込み５を経てラベルの他端部まで繰り返すことにより、折線つまり縫着線に沿った直線状の破断線でラベル１の下側一片１ｂを容易く破断して除去することができる。
【００３８】
次に、図３（ｄ）に示すように、そのようにして縫着線を境に残ったラベル１の上側他片１ａを、縫着線と交差（直交）する方向に引くと、隣接する切込み５の間に縫目が無い領域では抵抗無く引き抜くことができ、隣接する切込み５の間に縫目がある領域では紙の繊維と糸との絡みが解れるようにある程度注意深く引くことにより、糸６が破断したり衣類１０に解れが生じることなくラベル１を除去することができる。
【００３９】
図２（ｂ）には、このようにしてラベル１が破断除去された後の縫着部の断面が示されている。ラベル１を除去することにより、本縫いされた縫い糸の上糸６ａが衣類１０の表面から浮き、下糸６ｂとの張力が緩んだ状態となっている。
【００４０】
図２（ｃ）に示すように、その浮いた上糸６ａの一端側を他端側に引くことにより、縫い糸６ａ，６ｂが容易に除去することができる。
【００４１】
図１（ｂ）に戻り説明を続ける。切込み５の始点は、ラベル１の端縁より長さＬ１が２ｍｍから１０ｍｍの範囲、好ましくは４ｍｍから７ｍｍの範囲に設定され、各切込み５の長さＬ２が３ｍｍから７ｍｍの範囲、好ましくは５ｍｍ以上に設定されていればよい。
【００４２】
ミシンを使用してラベル１の切込みを縦断するように衣類１０に本縫いするためには、ある程度の切込み５の長さが必要となる。切込み５の長さが短ければ、切込み５から外れた位置を縫う虞があるためである。切込みの長さが３ｍｍから７ｍｍの範囲に設定されていれば、それほど注意深くミシンを操作しなくても、確実にラベルの切込みを縦断するように本縫いすることができるようになる。
【００４３】
また、ラベル１を取り外す際には、紙製のラベル１を縫目に沿って折り曲げて、縫着線に沿った直線状の折線をラベル１に形成する必要がある。縫着部４に近い方のラベル１の端縁を一方の手の指で掴み、他方の手の指でラベル１を折り返す操作を行なうとき、切込み５の始点がラベル１の端縁より２ｍｍから１０ｍｍの位置に設定されていれば、確実にラベル１の端縁を一方の手の指で掴むことができ、正確な折線を形成することができるようになる。
【００４４】
図６（ａ）には、幅狭の開口が形成された複数のスリット状の切込み５が、その幅方向に配列形成されたラベル１の例が示されている。また、図６（ｂ）には、長孔形状の切込み６が、その幅方向に配列形成されたラベル１の例が示されている。さらに、図６（ｃ）には、丸孔形状の切込み６が、その幅方向に配列形成されたラベル１の例が示されている。本発明に用いられるラベル１の切込み形状は、上述の何れの形状であってもよく、複数の切込み５の略中央部を切込み５の配列方向に沿って縫糸６で本縫いされていればよい。切込み５に開口が形成されていると、破断長さが短くなり破断処理が容易になる。
【００４５】
上述したように、運針ピッチは切込み５のピッチより長い値に設定されていることが好ましく、運針ピッチが３ｃｍで１２針から１５針に設定され、切込み５のピッチが運針ピッチの０．８倍より大きく１．５倍以下の値に設定されることが好ましく、１．０倍より大きく１．２５倍以下の値に設定されていればさらに好ましい。
【００４６】
具体的に本実施形態では、切込みのピッチが２ｍｍに設定され、運針ピッチが切込み５のピッチより長い３ｃｍ当たり１４針に設定されている。このように設定すれば、隣接する切込み５の間にミシンの縫い針で穿孔されない部位が生じ、後の破断後の紙片の除去処理が容易になる。
【００４７】
運針ピッチを３ｃｍ当たり１２針から１５針にすれば、縫目のピッチが２ｍｍから２．５ｍｍになり、それに対応して切込みのピッチが１．６ｍｍから３．７５ｍｍになる。ラベルを破断処理する際に、切込みのピッチが１．６ｍｍから３．７５ｍｍ程度であれば、たとえ厚紙のラベルであっても、破断処理にそれほど大きな力を要することなく折線に沿って正確に破断することができる。
【００４８】
また、ラベル１の紙厚が０．１５ｍｍから０．５ｍｍの範囲に設定されていることが好ましい。ラベル１の紙厚が薄ければ、衣類１０に縫着した後に湿気等の影響を受けてカールすることがあり、見栄えがよくない。ラベル１の紙厚が厚ければ、上述の破断処理に力を要し、また折線に沿って正確に破断することが困難になる。ラベル１がカールすることなく、また、容易く破断処理できるように、ラベルの紙厚は０．１５ｍｍから０．５ｍｍの範囲が好ましい。
【００４９】
切込み５の形成方向がラベル１の紙の目の方向と交差する方向に形成されていることが好ましい。目の方向に沿って紙を構成する繊維が並んでいるため、紙の目の方向へは直線状に破断処理し易い。切込み５をラベル１の紙の目の方向と交差する方向に形成すれば、折線（縫着線）と紙の目の方向が比較的揃うようになるので、隣接する切込みの間で紙を破断する際に折線に沿って容易く破断処理できるようになる。
【００５０】
図５（ａ）に示すように、切込み５の配列方向がラベルの破断方向となる。そのような破断方向が紙の目の方向に沿う場合には、縫着線に沿って容易に破断できる。しかし、図５（ｂ）に示すように、ラベルの破断方向が紙の目の方向と直交する場合には、縫着線に沿って少しずつ注意深く破断する必要があり、不用意に破断すると、縫着線から大きくずれて破断すると、その後のラベルの除去操作が煩雑になる。また、図５（ｃ）に示すように、ラベルの破断方向が紙の目の方向と交差する方向になる場合には、少なくとも紙の目の方向と９０°から４５°の範囲の交差角度で交差する姿勢であることが好ましい。その場合、紙の破断方向が紙の目の方向に近いため、縫着線から大きくずれた破断に到ることは少ない。
【００５１】
つまり、図４（ａ）に示すように、矩形のラベル１の紙の目が両矢印に示すように短手方向に沿う場合には、紙の目の方向に直交する姿勢の切込み５を、ラベル１の上縁部に短手方向に複数本並列形成することが好ましい。
【００５２】
図４（ｂ）に示すように、少なくとも紙の目の方向と９０°から４５°の範囲の交差角度で交差する姿勢の切込み５を、ラベル１の上縁部に短手方向に複数本並列形成してもよい。
【００５３】
図４（ｃ）に示すように、矩形のラベル１の紙の目が両矢印に示すように長手方向に沿う場合には、紙の目の方向に直交する姿勢の切込み５を、ラベル１の左上側部に長手方向に複数本並列形成することが好ましい。
【００５４】
図４（ｄ）に示すように、ラベル１の角部を裁断して、その裁断線に配列されるように複数本の切込み５を形成してもよい。この場合にも、切込み５の姿勢は、少なくとも紙の目の方向と９０°から４５°の範囲の交差角度で交差する姿勢であることが好ましい。
【００５５】
本発明が適用される衣類の対象は特に制限されることなく、インナーウェア、アウターウェア、帽子、靴下等任意の衣類に適用することができる。
【００５６】
上述した実施形態は、本発明の一実施例の説明に過ぎず、該記載により本発明の範囲が制限されることは無く、本発明の作用効果が奏される範囲で適宜変更設計できることはいうまでもない。
【産業上の利用可能性】
【００５７】
本発明によるラベルの取付け構造、ラベルの取外し方法及びラベルは、商品表示等の各種の紙製のラベルを衣類に付し、或いは取り外す際に広く活用することができる。
【符号の説明】
【００５８】
１：ラベル
２：表品情報表示部
３：切り欠き部
４：縫着部
５：切込み
６：縫糸
１０：衣類
【図１】
2014142371.tif 000003
【図２】
2014142371.tif 000004
【図３】
2014142371.tif 000005
【図４】
2014142371.tif 000006
【図５】
2014142371.tif 000007
【図６】
2014142371.tif 000008